(57)【要約】【課題】中央制御室内の壁と天井の形状及びその表面の模様と色彩を工夫することで、運転員が大型表示盤の監視作業をするときの監視性の向上と集中力を高めると共に、運転員のストレスを緩和する。【解決手段】大型表示盤から成る運転監視補助盤４と、中央運転監視盤５と、オペレータ机６等を配置した発電所における中央制御室１において、運転監視補助盤４の両端からそれぞれ連続して拡開するように内壁１２を配置し、かつ両内壁１２は、床１４から天井１３に向けて両内壁１２に挟まれる間隔が縮小するように構成した。【選択図】図２
2008115661.tif 000002
【特許請求の範囲】
【請求項１】
制御室の奥側から室内側に向けて略湾曲して配列した大型表示盤から成る運転監視補助盤（４）と、その手前側に机を配置した中央運転監視盤（５）と、該中央運転監視盤（５）を臨むように配置したオペレータ机（６）と、該オペレータ机（６）の後方に当直長机（９）と当直副長机（９）とを隣接して配置した発電所における中央制御室（１）において、
前記運転監視補助盤（４）の両端からそれぞれ連続して拡開するように内壁（１２）を配置し、
かつ、両内壁（１２）は、床（１４）から天井（１３）に向けて両内壁（１２）に挟まれる間隔が縮小するように構成した、ことを特徴とする発電所における中央制御室。
【請求項２】
前記内壁（１２）の内面と、該内壁（１２）に囲まれた床（１４）に、前記運転監視補助盤（４）に向かうような直線模様（１６，１７）を形成した、ことを特徴とする請求項１発電所における中央制御室。
【請求項３】
前記中央制御室（１）を構成する天井（１３）と前記内壁（１２）の内面を、オフホワイトに着色した、ことを特徴とする請求項１の発電所における中央制御室。
【請求項４】
前記内壁（１２）に囲まれた床（１４）に、寒色系濃色のタイルカーペットを敷いた、ことを特徴とする請求項１の発電所における中央制御室。
【請求項５】
前記天井（１３）において、運転員が作業する前記中央運転監視盤（５）、オペレータ机（６）及び当直長机（９）と当直副長机（９）の上部天井領域を二重天井（１５）にした、ことを特徴とする請求項１の発電所における中央制御室。
【発明の詳細な説明】
【技術分野】
【０００１】
本発明は、発電所内の機器の運転と監視を行う中央制御室に係り、特に原子力発電所のような屋外への窓が設けられていない中央制御室において、運転員の監視作業の集中力を高めることができる発電所における中央制御室に関するものである。
【背景技術】
【０００２】
発電所、例えば原子力発電所には中央制御室が設置されている。例えば、図５の平面図に示すように、この中央制御室１は原子力発電所を安全に運転するために制御する施設である。この原子力発電所における中央制御室１は、原子炉、タービン、発電機の運転、監視を行い、核分裂から発電までのすべてを制御する制御室である。更に放射線の監視もここで集中管理している。原子力発電所は通常は自動運転であるが、この中央制御室１は運転員が１日２４時間の３交替制で作業する場所である。例えば、中央制御室内には原子力発電所内の出力等を制御、監視するために常時運転員が配備されている。この運転員は中央制御盤の計測、計算データをもとにオペレータ机６で各種機器の制御、監視を行っている。
【０００３】
この中央制御室内の作業は、多数の液晶画面、例えばフラットディスプレイ（ＦＤ）を用いた監視業務が多い。多数のＦＤを用いたＶＤＴ（Ｖｉｓｕａｌ  Ｄｉｓｐｌａｙ  Ｔｅｒｍｉｎａｌｓ）作業、すなわちパソコンのモニターなどの表示画面の注視作業が中心となる。そこで、従来から中央制御室の照明は、人間工学的な設計を実施しており、適切な監視・操作を行うことを重点においた緊張感のある空間を形成するようになっている。例えば、室内照明は、運転操作監視に必要な照度確保を目的に白色ルーバによる光天井方式を採用している。
【０００４】
一方、原子力発電所の中央制御室は、原子炉圧力容器内で発生する可能性のある冷却材喪失事故時に屋外に放出される放射線による運転員の被曝を防止するために、屋外への窓が設けられていない。そこで、中央制御室は、運転員にとって閉鎖的な空間となっている。
【０００５】
これまでも発電所の制御室等のような外界から光の入射が遮断された施設内を照明する技術が提案されている。例えば、特許文献１の「照明装置および照明方法、並びにその部屋」では、室内の照明を行う照明灯を有し、照明灯の照度を太陽光の光量に対応するようにした照明装置において、照明灯は、日の出時から日没時までの太陽光の光量または方向に対応した第１の照明灯と、日没時から日の出時までの太陽光の光量または方向に対応した異色系の第２の照明灯とからなり、太陽光の光量の変化の推移を測定する光センサを設け、日の出時から日没時までの太陽光の光量または方向の変化の推移によって第１の照明灯の照度を制御し、かつ日没時から日の出時までの太陽光の光量または方向の変化の推移によって第２の照明灯の照度を制御し、以って色温度、照射方向または照度のうち少なくとも一つが継時変化をする照明装置が提案されている。
【特許文献１】特開２００１−２５７０８３号公報
【０００６】
また、運転員が緊張を維持した状態で長時間にわたって作業するための原子力発電所の制御室に関する技術も提案されている。例えば、特許文献２の「原子力発電所の制御室及びその構成方法」では、原子力発電所の制御室において、天井が、複数の金属板と、天井を横切って延びると共に金属板に溶接され、制御室内のフロアに向って第１の距離に亘って下方に延びると共に金属板に取り付けられた冷却フィンと、金属板の頂部上に設けられたコンクリートスラブとから成る制御室が提案されている。
【特許文献２】特開平６−５９０７０号公報
【発明の開示】
【発明が解決しようとする課題】
【０００７】
一般的に監視作業中における人（運転員）の網膜に映った二次元情報から三次元の世界を復元するために、人の視覚系は様々な情報を用いている。網膜には対象物が動いたり、人が動くことによって立体感や遠近感が生まれる。しかし、図５に示すように、運転員は中央制御盤の計測、計算データをもとにオペレータ机６によって静かに監視しているときは、立体感や遠近感が生まれにくい。運転員が大型表示盤の監視作業をするときに監視性の誤差を招来しやすく、集中力が低下しやすいという問題を有していた。
【０００８】
ここで特許文献１の「照明装置および照明方法、並びにその部屋」は、コンピュータなどの制御装置、タイマーを使わずに屋内の照明を昼および夜の雰囲気照明とすることができ、無窓の監視制御室のような太陽光が入射しない場所で働く人達が一日を通じて昼、夜をより自然に近い状態で感じることができ、生体リズムを維持しながら作業、業務をすることができるに止まるものであった。
【０００９】
また、特許文献２の「原子力発電所の制御室及びその構成方法」は、快適な室温を保つことができるものであるが、運転員の緊張感を持続させるものではなかった。
【００１０】
本発明は、かかる問題点を解決するために創案されたものである。すなわち、本発明の目的は、中央制御室内の壁と天井の形状及びその表面の模様と色彩を工夫することで、運転員が大型表示盤の監視作業をするときの監視性の向上と集中力を高めると共に、運転員のストレスを緩和することができる発電所における中央制御室を提供することにある。
【課題を解決するための手段】
【００１１】
本発明によれば、制御室の奥側から室内側に向けて略湾曲して配列した大型表示盤から成る運転監視補助盤（４）と、その手前側に机を配置した中央運転監視盤（５）と、該中央運転監視盤（５）を臨むように配置したオペレータ机（６）と、該オペレータ机（６）の後方に当直長机（９）と当直副長机（９）とを隣接して配置した発電所における中央制御室（１）において、前記運転監視補助盤（４）の両端からそれぞれ連続して拡開するように内壁（１２）を配置し、かつ、両内壁（１２）は、床（１４）から天井（１３）に向けて両内壁（１２）に挟まれる間隔が縮小するように構成した、ことを特徴とする発電所における中央制御室が提供される。
【００１２】
前記内壁（１２）の内面と、該内壁（１２）に囲まれた床（１４）に、前記運転監視補助盤（４）に向かうような直線模様（１６，１７）を形成することが好ましい。
前記中央制御室（１）を構成する天井（１３）と前記内壁（１２）の内面を、オフホワイトに着色することが好ましい。
前記内壁（１２）に囲まれた床（１４）に、寒色系濃色のタイルカーペットを敷くことが好ましい。
前記天井（１３）において、運転員が作業する前記中央運転監視盤（５）、オペレータ机（６）及び当直長机（９）と当直副長机（９）の上部天井領域を二重天井（１５）にすることができる。
【発明の効果】
【００１３】
上記構成の本発明では、運転監視補助盤（４）と中央運転監視盤（５）を中心とする監視業務エリアを運転員の居住性を考慮した左右対称形で前方が徐々に狭まる形状になる両内壁（１２）により、中央制御室（１）の広すぎる空間全体から監視業務空間の独立性を高め、運転員の視野を前方に集中させることができる。更に、この内壁（１２）は内側に傾斜して内向しているので、より運転員の集中力を高めることができる。
本発明は、中央制御室（１）の空間全体の統一感、バランス感を考慮した居住空間を形成する。また、見学者に対して先進的な原子力発電所等の中央制御室（１）の印象を与え、かつ技術面からも安心感、信頼感を醸成させることができる。
【００１４】
また、内壁（１２）の内面及び内壁（１２）に囲まれた床（１４）に、運転監視補助盤（４）に向かうような直線模様（１６，１７）を形成することにより、この直線的空間処理が運転員の緊張感を維持すると共に集中力を高める効果がある。
更に、中央制御室（１）を構成する天井（１３）と内壁（１２）の内面を、オフホワイトに着色し、また内壁（１２）に囲まれた床（１４）に、寒色系濃色のタイルカーペットを敷くことで、中央制御室（１）内に落着きをもたらし、運転員に安心感を与えことができる。
天井（１３）において、運転員が作業する中央運転監視盤（５）、オペレータ机（６）及び当直長机（９）と当直副長机（９）の上部天井領域を二重天井（１５）にすることで、中央制御室（１）内の空間をふくらませ、安らぎ感を演出することができる。
【発明を実施するための最良の形態】
【００１５】
本発明の発電所における中央制御室は、大型表示盤から成る運転監視補助盤と、中央運転監視盤等とを配置し、運転監視補助盤の両端からそれぞれ連続して拡開するように内壁を配置し、かつ両内壁を天井から床にかけて中央制御室側に傾斜させて構成し、緊張感と共に安らぎ感を醸成する空間となるように工夫している。
【実施例１】
【００１６】
以下、本発明の好ましい実施の形態を図面を参照して説明する。
図１は実施例１の発電所における中央制御室の機器の配置状態を示す平面図である。
中央制御室１は原子炉等の建屋に隣接して設置される。中央制御室１の一側（図１では紙面下方位置）には原子力発電所を訪れた見学者の見学者ギャラリ室２を設けている。この見学者ギャラリ室２の窓３から見学者は中央制御室１内を見学できるようになっている。
【００１７】
この中央制御室１内には、その奥側から室内側に向けて略湾曲して大型表示盤から成る運転監視補助盤４が配列されている（図１では紙面上方位置）。この運転監視補助盤４は、原子力発電所の回路図と共に複数の機器に関する計器を表示した大型表示盤である。
【００１８】
この運転監視補助盤４の手前に、机を湾曲状に配列した中央運転監視盤５を配置した。中央運転監視盤５は、原子力発電所の多数の機器、即ち原子炉、タービン、発電機の運転と監視状態を表示する制御機器の表示画面が並べられたものである。
【００１９】
この中央運転監視盤５の手前に、この中央運転監視盤５を臨むようにオペレータ机６が配置され、このオペレータ机６にも制御機器が設けられている。このオペレータ机６にはその左右に隣接するように、補助設備制御装置７やＩＴＶ操作卓８が配置されている。このオペレータ机６の後方に、当日の運転監視する運転員が着席する当直長机９と当直副長机９とを隣接して配置した。この中央制御室１内には、打合せコーナー１０を設けることができる（図１では紙面下方左位置）。
【００２０】
この中央制御室１には、発電所施設の建屋内を区画するコンクリート壁１１とは別に内壁１２を設けている。この内壁１２は、大型表示盤の運転監視補助盤４の両端から連続して、作業中の運転員の後方側が広くなる略台形状に形成した壁面である。即ち両内壁１２は運転監視補助盤４と中央運転監視盤５を中心とする監視業務エリアに運転員の居住性を考慮し、略左右対称形であって前方が徐々に狭まるような形状になっている。なお、図１において内壁１２の途中の欠落部は、内部への出入口１２ａを示している。
なお、この両内壁１２の設置形状については、略左右対称形であって前方が徐々に狭まる設置形状になるものであれば、図示例の形状に限定されない。
【００２１】
ある作業をする際に有効に活躍することができる視覚情報収集範囲を有効視野と称する。一般に人（運転員）の視野は左右１８０度、上下１５０度といわれている。この有効視野の広さと情報処理の深さは逆の関係にあり、作業に占める注意の割合が増大すると、有効視野が狭くなる。そこで、この内壁１２により、運転監視補助盤４と中央運転監視盤５を中心とする監視業務エリアを前方が徐々に狭まる略左右対称形の内壁１２により、中央制御室１の広すぎる空間全体から監視業務空間の独立性を高め、運転員の視野を集中させることができる。
【００２２】
図２は実施例１の発電所における中央制御室の横断面図である。
図示したように、両内壁１２は、床１４から天井１３に向けて両内壁１２に挟まれる間隔が縮小するように構成されている。このように傾斜した内壁１２により、有効視野が狭くならないようになっている。これにより、運転員の集中力を高めることができる。
なお、この内壁１２の傾斜角度については、極端に傾斜していると却って運転員に圧迫感を与えるので、図示例のように５度前後の傾斜角度が適当である。しかし、この傾斜角度は５度に限定されないことは勿論である。
【００２３】
また、天井１３において、運転員が作業する中央運転監視盤５、オペレータ机６及び当直長机９と当直副長机９の上部天井領域（図１に鎖線で示す領域）は二重天井１５になっている。この二重天井１５により中央制御室１内空間をふくらませるように演出することができる。これで中央制御室１のように窓のない閉鎖的な空間における運転員に安らぎ感を与えることができる。
【実施例２】
【００２４】
図３は実施例２の発電所における中央制御室を、オペレータ机と当直長机と当直副長机を設置する前であって、見学者ギャラリ室から最奥の運転監視補助盤を臨む状態を示した斜視図である。図４は実施例２の発電所における中央制御室を見学者ギャラリ室の窓から見た状態の斜視図である。
実施例２の中央制御室１では、上記のように構成した内壁１２の内面と、内壁１２に囲まれた床１４に、運転監視補助盤４に向かうような直線模様１６，１７を形成した。このように直線模様１６，１７を形成することにより、直線的空間処理が運転員の緊張感を維持すると共に集中力を高める効果を発揮させることができる。これは運転員の有効視野が狭くならないようにすることで、運転員の網膜を刺激して前方への集中力を高めるためである。
【００２５】
また、中央制御室１を構成する天井１３と内壁１２の内面は、例えばオフホワイトに着色する。このように中央制御室１内に落着きをもたらすことができ、監視作業中以外の運転員に安らぎ感を与えることができる。
【００２６】
更に、内壁１２に囲まれた床１４に、寒色系濃色のタイルカーペットを敷く。このような色の床１４により中央制御室１内に落着きをもたらし、運転員に安心感を与えことができる。これは、寒色系の色相は、冷たい、消極的、沈静的な感情を有するからである。因みに青緑は安息、涼しさ等の心理的効果をもたらす性質を有する。青は落ち着き、寂しさ、沈静等の心理的効果をもたらす性質を有する。紫は神秘、崇高、孤独等の心理的効果をもたらす性質を有する。
【００２７】
なお、本発明は、中央制御室１内の内壁１２と天井１３，１５の形状及びその表面の模様と色彩を工夫することで、運転員が大型表示盤の監視作業をするときの監視性の向上と集中力を高めると共に、運転員のストレスを緩和するものであれば、上述した発明の実施の形態に限定されず、本発明の要旨を逸脱しない範囲で種々変更できることは勿論である。
【産業上の利用可能性】
【００２８】
本発明の発電所における中央制御室の構成、着眼は、原子力発電所以外のプラントの制御室や交通機関の制御室、多数の計器を緊張感の基で運転、監視する場所に転用、応用して利用することができる。
【図面の簡単な説明】
【００２９】
【図１】実施例１の発電所における中央制御室の機器の配置状態を示す平面図である。
【図２】実施例１の発電所における中央制御室の横断面図である。
【図３】実施例２の発電所における中央制御室を、オペレータ机と当直長机と当直副長机を設置する前であって、見学者ギャラリ室の窓から最奥の運転監視補助盤を臨む状態を示す斜視図である。
【図４】実施例２の発電所における中央制御室を見学者ギャラリ室の窓から見た状態の斜視図である。
【図５】従来の発電所における中央制御室を示す平面図である。
【符号の説明】
【００３０】
１  中央制御室
４  運転監視補助盤
５  中央運転監視盤
６  オペレータ机
９  当直長机（当直副長机）
１２  内壁
１３  天井
１４  床
１５  二重天井
１６，１７  直線模様
【図１】
2008115661.tif 000003
【図２】
2008115661.tif 000004
【図３】
2008115661.tif 000005
【図４】
2008115661.tif 000006
【図５】
2008115661.tif 000007